【手続補正書】
【提出日】平成28年4月20日(2016.4.20)
【手続補正１】
【補正対象書類名】特許請求の範囲
【補正対象項目名】全文
【補正方法】変更
【補正の内容】
【特許請求の範囲】
【請求項１】
伸延システムであって、
対象者の骨格系の第１の位置に対して固定するよう構成された伸延棒であって、第１の端部、凹部を含む第２の端部、及びネジ部を有する伸延棒と、
前記対象者の骨格系の第２の位置に対して固定するよう構成された調整可能部分と、
を具えており、前記調整可能部分が、
ハウジングと、
永久磁石を具え、前記ハウジングの中に少なくとも部分的に収容される磁気アッセンブリと、
接合部によって前記磁気アッセンブリに結合され、前記伸延棒の前記ネジ部に動作するよう結合された送りネジと、
を具えており、
前記送りネジと前記磁気アッセンブリとの間の前記接合部により、前記送りネジと前記磁気アッセンブリ及び前記ネジ部のうちの少なくとも一方との間の、軸外の揺動又は遊びを可能にすることを特徴とする伸延システム。
【請求項２】
請求項１に記載の伸延システムにおいて、
前記軸外の揺動又は遊びにより、前記送りネジ及び前記伸延棒の前記ネジ部が、自己整合し得ることを特徴とする伸延システム。
【請求項３】
請求項２に記載の伸延システムにおいて、
前記送りネジ及び前記伸延棒の前記ネジ部の自己整合が結合を減らすことを特徴とする伸延システム。
【請求項４】
請求項１に記載の伸延システムにおいて、
前記磁気アッセンブリが、さらに、内部空洞を有する上部カップと内部空洞を有する下部カップとを具えており、
前記上部カップの前記内部空洞と前記下部カップの前記内部空洞によって形成される凹部が、前記永久磁石を保持するよう構成されることを特徴とする伸延システム。
【請求項５】
請求項１に記載の伸延システムにおいて、
前記接合部が固定ピンを具えることを特徴とする伸延システム。
【請求項６】
請求項５に記載の伸延システムにおいて、
前記接合部が、さらに、前記固定ピンを受容するような大きさの開口部であって、前記送りネジに含まれる開口部と、
前記固定ピンを受容するような大きさの開口部であって、前記磁気アッセンブリの開口部と、
を具えることを特徴とする伸延システム。
【請求項７】
請求項６に記載の伸延システムにおいて、
前記送りネジが、前記送りネジの前記開口部及び前記磁気アッセンブリの前記開口部のうちの少なくとも一方を通して前記固定ピンを配置することによって、前記磁気アッセンブリに結合されることを特徴とする伸延システム。
【請求項８】
請求項５に記載の伸延システムにおいて、
前記固定ピンが、１２４ポンド未満の圧縮負荷及び引張負荷のうちの少なくとも一方を受けた場合に、その構造的完全性を保持するよう構成されることを特徴とする伸延システム。
【請求項９】
請求項５に記載の伸延システムにおいて、
前記固定ピンが、３５０ポンド未満の圧縮負荷及び引張負荷のうちの少なくとも一方を受けた場合に、その構造的完全性を保持するよう構成されることを特徴とする伸延システム。
【請求項１０】
請求項１に記載の伸延システムにおいて、
前記接合部により、前記送りネジが前記磁気アッセンブリに対して自由に揺動し得ることを特徴とする伸延システム。
【請求項１１】
請求項１に記載の伸延システムにおいて、
前記接合部により、前記送りネジが前記伸延棒のネジ部に接触せずに円錐形の包絡線を辿り得ることを特徴とする伸延システム。
【請求項１２】
伸延システムであって、
対象者の骨格系の第１の位置に対して固定するよう構成された伸延棒であって、第１の端部、凹部を含む第２の端部、及びネジ部を有するナットを有する伸延棒と、
対象者の骨格系の第２の位置に対して固定するよう構成された調整可能部分と、
を具えており、前記調整可能部分が、
ハウジングと、
永久磁石を具え、前記ハウジングの中に少なくとも部分的に収容される磁気アッセンブリと、
接合部によって前記磁気アッセンブリに結合され、前記ナットの前記ネジ部に動作するよう結合された送りネジと、
を具えており、
前記送りネジが、前記送りネジ及び前記ナット、前記送りネジ及び前記磁気アッセンブリのうちの少なくとも一方によって、軸外の揺動又は遊びを可能にするように保持されており、
第１の回転方向への前記磁気アッセンブリの回転により、前記伸延システムの伸延力の拡大又は増加のうちの少なくとも一方をもたらすよう構成され、
第２の回転方向への前記磁気アッセンブリの回転により、前記伸延システムの伸延力の縮小又は減少のうちの少なくとも一方をもたらすよう構成されることを特徴とする伸延システム。
【請求項１３】
脊椎伸延システムであって、
第１の端部及び第２の端部を有する伸延棒であって、前記第１の端部が第１の位置で対象者の脊椎に固定されるよう構成され、前記第２の端部がその中に設けられたネジ部を有する凹部を含む、伸延棒と、
前記第１の位置から離れた第２の位置で患者の脊椎に対して配置されるよう構成された調整可能部分であって、回転可能な磁気アッセンブリを具える、調整可能部分と、
第１及び第２の端部を有する送りネジであって、前記第１の端部が前記磁気アッセンブリの１つの端部に動作するよう結合されて前記磁気アッセンブリとともに回転するよう構成され、前記第２の端部が前記凹部の前記ネジ部に動作するよう結合された、送りネジと、
を具えており、
前記送りネジの前記第１の端部が、連接構成で前記磁気アッセンブリの端部に結合されていることを特徴とする脊椎伸延システム。
【請求項１４】
請求項１３に記載の脊椎伸延システムにおいて、
前記連接構成が、横方向に前記送りネジを通る固定ピンと、前記磁気アッセンブリの少なくとも一部を具えることを特徴とする脊椎伸延システム。
【請求項１５】
請求項１３に記載の脊椎伸延システムにおいて、
前記連接構成が、前記磁気アッセンブリの長手軸に対する前記送りネジの角変位を可能にするよう構成されていることを特徴とする脊椎伸延システム。
【請求項１６】
請求項１３に記載の脊椎伸延システムにおいて、
前記磁気アッセンブリの回転により、前記送りネジが前記凹部の前記ネジ部に接触せずに円錐形の包絡線を辿ることを特徴とする脊椎伸延システム。
【請求項１７】
非侵襲的に調整可能なインプラントであって、
第１の端部及び第２の端部を有する埋め込み可能な伸延棒であって、前記第１の端部が第１の位置で対象者の骨格系に対して皮下で結合されるよう構成された、埋め込み可能な伸延棒と、
ネジ部と、
第１の端部及び第２の端部を有する埋め込み可能なハウジングであって、前記第２の端部が前記第１の位置から離れた第２の位置で前記対象者の骨格系に対して皮下で結合されるよう構成された、埋め込み可能なハウジングと、
前記対象者の骨格系に対して配置するよう構成された駆動部であって、
前記対象者の外部で発生する磁場の変化によって、非侵襲的に動作するよう構成された磁気アッセンブリと、
前記ネジ部及び前記磁気アッセンブリの一又はそれ以上に結合されたネジであって、前記ネジ及び前記磁気アッセンブリのうちの少なくとも一方の少なくとも一部が前記ハウジングの中に収容された、ネジと、
前記伸延棒、前記ハウジング及び前記磁気アッセンブリのうちの少なくとも一に対する前記駆動部の前記ネジの遊び又は揺動のうちの少なくとも一方を可能にするよう構成された接合部と、
を具えており、
前記対象者の外部で発生する磁場の変化による前記磁気アッセンブリの非侵襲的動作により、前記ハウジングに対する前記伸延棒の動きが発生することを特徴とするインプラント。
【請求項１８】
請求項１７に記載の非侵襲的に調整可能なインプラントにおいて、
前記接合部が、前記伸延棒、前記ハウジング、前記ネジ部及び前記磁気アッセンブリのうちの少なくとも一に対する前記駆動部の前記ネジの遊び及び揺動のうちの少なくとも一方を可能にすることを特徴とするインプラント。
【請求項１９】
非侵襲的に調整可能な伸延システムであって、
第１の端部及び第２の端部を有する伸延棒であって、前記伸延棒の前記第１の端部が第１の位置で対象者の骨格系に結合されるよう構成され、前記伸延棒の前記第２の端部がネジ部を具えた、伸延棒と、
前記第１の位置から離れた第２の位置で前記対象者の骨格系に対して配置するよう構成された調整可能部分と、
を具えており、前記調整可能部分が、
ハウジングと、
前記伸延棒の前記ネジ部にネジ結合されたネジと、
前記対象者の外部で発生する磁場を移動させることによって非侵襲的に回転するよう構成された磁気アッセンブリと、
を具えており、
前記磁気アッセンブリ及び前記ネジが接合部によって回転するよう結合されており、
前記ネジ及び前記磁気アッセンブリのうちの少なくとも一方の少なくとも一部が、前記ハウジングの中に収容されており、
前記ネジ及び前記磁気アッセンブリのうちの少なくとも一方の回転により、前記ハウジングに対する前記伸延棒の軸移動を発生させ、
前記ネジと前記伸延棒及び前記ハウジングのうちの少なくとも一方との間の遊びが可能となることを特徴とする伸延システム。
【請求項２０】
請求項１９に記載の伸延システムにおいて、
前記接合部が固定ピン及び前記ネジに付随する第１の開口部を具えることを特徴とする伸延システム。
【請求項２１】
請求項２０に記載の伸延システムにおいて、
前記固定ピンが、最大で１２４ポンドの引張負荷まで構造的完全性を維持することを特徴とする伸延システム。
【請求項２２】
請求項２１に記載の伸延システムにおいて、
前記固定ピンが、最大で３５０ポンドの引張負荷まで構造的完全性を維持することを特徴とする伸延システム。
【請求項２３】
請求項１９に記載の伸延システムにおいて、
前記磁気アッセンブリの回転により、前記ネジが前記伸延棒の前記のネジ部に接触せずに円錐形の包絡線を辿ることを特徴とする伸延システム。
【請求項２４】
請求項１９に記載の伸延システムにおいて、
前記ネジ及び前記ネジ部が異種金属を具えることを特徴とする伸延システム。
【請求項２５】
請求項１９に記載の伸延システムにおいて、
前記ネジと前記伸延棒及び前記ハウジングのうちの少なくとも一方との間で可能な前記遊びが、前記ネジ及び前記ネジ部の自己整合をし易くすることを特徴とする伸延システム。